(57)【要約】      （修正有）【課題】ペン先を保護するキャップ体を外してペン本体の後端に取り付けた状態で筆記具として使用でき、キャップ体をペン本体の後端に取り付けた状態でペン回しができるようにして、筆記具として使用する際、ペン回しとして使用する際の何れの使用状態においても形態を変化させる必要のないペン回し用筆記具を提供する。【解決手段】ペン本体１と、該ペン本体１の先端を保護するキャップ体２とからなり、上記ペン本体１はペン先３に錘パーツ５を着脱でき、上記キャップ体２は錘パーツを保持するとともにキャップ体２内をスライド移動可能な錘保持体を備え、該錘保持体は上記キャップ体２の外側から移動操作可能に形成され、上記キャップ体２は上記ペン本体１の後端に取り付け可能であることを特徴とするペン回し用筆記具Ａである。【選択図】図１
0003144419.tif 000002
【実用新案登録請求の範囲】
【請求項１】
ペン本体と、該ペン本体のペン先を保護するキャップ体とからなる、以下の要件を備えることを特徴とするペン回し用筆記具。
（イ）上記ペン本体はペン先に錘パーツを着脱できるようにしたこと
（ロ）上記キャップ体は錘パーツを保持するとともにキャップ体内をスライド移動可能な錘保持体を備え、該錘保持体は上記キャップ体の外側から移動操作可能に形成されていること
（ハ）上記キャップ体は上記ペン本体の後端に取り付け可能であること
【請求項２】
前記ペン本体はペン先を出没可能にした、請求項１記載のペン回し用筆記具。
【考案の詳細な説明】
【技術分野】
【０００１】
本考案は、ペン回し用筆記具、詳しくは筆記具を指で回して遊ぶために好適な構成のペン回し用筆記具に関するものである。
【背景技術】
【０００２】
従来、文具店などで市販されているペンを購入し、このペンを手で回すペン回し遊びが広く普及しているが、このペン回し遊びに好適なペンとして本出願人からペン回し用筆記具が提案されている（例えば、特許文献１）。このペン回し用筆記具は、両端に錘パーツを取り付けたキャップ体を着脱可能に設け、筆記具として使用するときはキャップ体を外し、ペン回しをするときにはキャップ体を取り付けるものであった。
【特許文献１】実用新案登録第３１３８０９７号公報
【考案の開示】
【考案が解決しようとする課題】
【０００３】
本考案が解決しようとする問題点は、上述の筆記具は、筆記具として使用するときはキャップ体を外してペン先を露出させ、ペン回しをするときにはキャップ体をペン本体に取り付けなければならず、筆記の途中で考え事をしながら無意識にペン回しをすることができず、使用形態（筆記、ペン回し）によって筆記具の形状を変えなければならないし、筆記中にペン回しをしたくなったらキャップ体を探さなければならず気分がそがれる問題があった。
【０００４】
本考案は、上記問題点を解決し、ペン先を保護するキャップ体を外してペン本体の後端に取り付けた状態で筆記具として使用でき、キャップ体をペン本体の後端に取り付けた状態のままでペン回しができるようにして、筆記具として使用する際、ペン回しとして使用する際の何れの使用状態においても形態を変化させる必要のないペン回し用筆記具を提供することを課題とする。
【課題を解決するための手段】
【０００５】
前記課題を解決するために本考案に係るペン回し用筆記具は、ペン本体と、該ペン本体の先端を保護するキャップ体とからなる、以下の要件を備えることを特徴とする。
（イ）上記ペン本体は先端に錘パーツを取り付け可能に形成されていること
（ロ）上記キャップ体は錘パーツを保持するとともにキャップ体内をスライド移動可能な錘保持体を備え、該錘保持体は上記キャップ体の外側から移動操作可能に形成されていること
（ハ）上記キャップ体は上記ペン本体の後端に取り付け可能であること
【０００６】
なお、前記ペン本体はペン先を出没可能にし、ペン回し時にはペン先をペン本体内に没入させることが好ましい。
【考案の効果】
【０００７】
請求項１の考案によれば、実際に筆記を行うときはペン先を保護するキャップ体を外してペン本体の後端に嵌めて一般の筆記具と同様に使用できるのでキャップ体を紛失する恐れが無いし、ペン回しをする際は、そのままペン回しができるので、使用形態によって筆記具の形状をかえる必要が無く、筆記の途中でペン回しができ気分転換が図れる新しい発想のペン回し用筆記具を提供することができる。
【０００８】
請求項２の考案によれば、ペン先をペン本体の内部に没入させるので、ペン回し時にペン先が人に触れることが無くなり安全性を考慮したペン回し筆記具を実現することができる。
【考案を実施するための最良の形態】
【０００９】
図１（ａ）は、本考案に係るペン回し用筆記具Ａを示し、このペン回し用筆記具Ａは、キャップ体２の装着時にはペン先３を保護することができるようにし、図１（ｂ）に示すように、ペン本体１にキャップ体２を着脱できるようにして、筆記具として使用する場合はキャップ体２を紛失したり探したりしないように、ペン本体１の後端に設けた回動操作部材４に装着できるようにしたものである（図１（ｃ）参照）。
【００１０】
なお、図１（ｂ）において、符号５はリング状の金属製の錘パーツ、符号６は錘パーツがペン先３から離脱しないように固定するゴム等の弾性部材でリング状に形成された固定部材、符号７はゴム等の弾性部材で形成された筒状のグリップ部を示す。
【００１１】
ペン本体１はボールペンで構成され、後端の回動操作部材４を回動することによりリフィール８をペン先３の先端から出没させることができるようにした公知の回転ノック機構を備えたものである。
【００１２】
上記ペン先３は、図２（ａ）に示すように、後部の嵌合部１０がペン本体１の先端に嵌装でき、中央の円筒部１１にはグリップ部７を嵌装できるようになっている。さらに、前部には錘パーツ５及び固定部材６を取り付ける取付部１２が形成され、この取付部１２の周面は所定間隔をおいて角溝１２ａが周設され全体として角波状に形成されている。
【００１３】
上記ペン先３は、円筒部１１にグリップ部７をはめ込んだ状態でペン本体１に取り付けられているので（図２（ｂ）参照）、錘パーツ５を取付部１２に嵌め込み、最後に固定部材６を嵌め込めば、図２（ｃ）に示すように、ペン先３に嵌め込んだ錘パーツ５が外れないように固定部材６で固定することができる。なお、固定部材６の内周面には取付部１２の周面に形成された角溝１２ａに係合する係合凸部６ａ（図２（ａ）参照）が周設されているので、意図的に外さない限り固定部材６がペン先３から外れるようなことはない。
【００１４】
また、図２（ｄ）は錘パーツ５を２個取り付けた状態を示し、ペン回しをする際のペン本体１の先端部の重さを錘パーツ５の数で調整することができる。
【００１５】
キャップ体２はペン本体１から外してペン本体１の後端に配置されている回動操作部材４に嵌めることができるようになっているもので、内部には錘パーツ１５が錘保持体１６で保持されて収容されている。この錘パーツ１５は上述のペン先３に取り付ける錘パーツ５と同じ素材、同じ形状のものである。キャップ体２の上面には長手方向にガイド溝１７が形成され、このガイド溝１７の先端側には第１の係合溝１８が形成され、後端側には多数の第２の係合溝１９が形成されている（図３（ａ）参照）。
【００１６】
上記錘パーツ１５は錘保持体１６で保持された状態でキャップ体２内を移動させることができるようになっているが、この錘保持体１６は、図３（ａ）（ｂ）に示すように、キャップ体２の内径と略同じ大きさの円形の基部材２０の前面に錘パーツ１５を取り付ける円筒状の取付部２１が突出して形成されるとともに後面にはＵ字状に湾曲してバネ部２２が形成され、このバネ部２２の先端には操作ボタン２３が形成されている。
【００１７】
この操作ボタン２３の両側面には係合突部２４がそれぞれ突出して形成され、キャップ体２の内部に収容された状態では係合突部２４がガイド溝１７に形成された第１の係合溝１８又は第２の係合溝１９の何れかに係合し、キャップ体２の内部で固定されるようになっている。
【００１８】
なお、取付部２１の周面は所定間隔をおいて角溝２１ａが周設され全体として角波状に形成されている。
【００１９】
上記錘保持体１６をキャップ体２の前面から内部に収容すると、図４（ａ）に示すように、係合突部２４が係合溝１８に係合し、取付部２１がキャップ体２の前方に突出した状態で固定される。この状態で錘パーツ１５を取付部２１に嵌め込み、最後に固定部材２５を嵌め込めば、図４（ｂ）に示すように、取付部２１に嵌め込んだ錘パーツ１５が外れないように固定部材２５で固定することができる。なお、固定部材２５の内周面には取付部２１の周面に形成された角溝２１ａに係合する係合凸部２５ａ（図４（ａ）参照）が周設されているので、意図的に外さない限り固定部材２５が取付部２１（錘保持体１６）から外れるようなことはない。
【００２０】
錘パーツ１５を取り付けた錘保持体１６はバネ部２２に抗して操作ボタン２３を押下すると、係合突部２４と第１の係合溝１８との係合が外れるので、操作ボタン２３を押下したまま錘保持体１６を移動させれば、錘保持体１６をキャップ体２内を後方にスライド移動させることができ、操作ボタン２３の押下を開放すればバネ部２２に付勢されて操作ボタン２３が上昇し、係合突部２４が対応する位置にある第２の係合溝１９に係合するので錘保持体１６はキャップ体２内で固定されることになる。
【００２１】
なお、第２の係合溝１９の何処で錘保持体１６を固定するかによってペン回しをする際の筆記具全体のバランスを調整することができる。
【００２２】
次に、上記構成のペン回し用筆記具Ａの使用態様について説明する。先ず、図２（ｃ）に示すように、ペン先３に錘パーツ５を嵌め込み、錘パーツ５が外れないように固定部材６で錘パーツ５をペン先３に固定する。次に、図４（ｂ）に示すように、錘保持体１６をキャップ体２の前部に移動させて取付部２１を突出させ、突出させた取付部２１に錘パーツ１５を嵌め込み、錘パーツ１５が外れないように固定部材２５固定した後、操作ボタン２３を押下して錘保持体１６をキャップ体２の後方に移動しておく。
【００２３】
上述のようにして、ペン本体１に錘パーツ５を取り付け、キャップ体２に錘パーツ１５を取り付けたならば、通常の筆記具と同様に、キャップ体２をペン本体１の先端に嵌め込み、図１（ａ）の状態にする。このペン回し用筆記具Ａを筆記具として使用する場合は、図１（ｂ）に示すように、キャップ体２を外し、ペン本体１の後端に設けられた回動操作部材４に嵌め合わせ、キャップ体２をペン本体１の後端に取り付ける（図１（ｃ）参照）。
【００２４】
この状態では、リフィール８がペン先から突出しているので、グリップ部７を摘んでそのまま筆記具として使用することができる。
【００２５】
この筆記具状態のペン回し用筆記具Ａを使ってペン回しをする際は、ペン本体１を二本の指で挟んでそのまま、図５に示すようにペン回しをすることができる。
【００２６】
この場合、リフィール８がペン先３から突出している状態なので、回動操作部材４に嵌め合わせたキャップ体２を回動させれば、公知の回転ノック機構（図示せず）でリフィール８はペン先３の内部に没入させることができるので、回転時にリフィール８が手指に当たって痛い思いをするようなトラブルも回避することができる。
【００２７】
上述したように、本考案のペン回し用筆記具によれば、ペン本体１の先端に任意の数の錘パーツ５を取り付け、キャップ体２に内装した錘保持体１６に任意の数の錘パーツ１５を取り付け操作ボタン２３を押下してキャップ体２の奥まで移動しておけば、キャップ体２を外してペン本体１の後端に嵌め込むことにより、両端に錘パーツが配置されることになるので、筆記をしながら途中でペン回しも自由にすることができ、従来のペン回し用筆記具のように使用形態（筆記、ペン回し）によって形状を変える（キャップ体を外したり取り付けたりする）必要がなくなり、仕事や勉強をやりながら、気分転換や無意識にペン回しを楽しむことができるペン回し用筆記具Ａを提供することができる。
【図面の簡単な説明】
【００２８】
【図１】（ａ）〜（ｃ）は本考案に係るペン回し用筆記具のペン本体とキャップ体との関係の正面図
【図２】（ａ）〜（ｄ）はペン先と錘パーツとの関係の説明図
【図３】（ａ）（ｂ）はキャップ体と錘保持体の構造を説明する平面図及び一部切断した正面図
【図４】（ａ）〜（ｃ）はキャップ体に錘パーツをセットする状態の説明図
【図５】上記ペン回し用筆記具のペン回し状態の説明図
【符号の説明】
【００２９】
１    ペン本体
２    キャップ体
３    ペン先
４    回動操作部材
５    錘パーツ
１５    錘パーツ
１６    錘保持体
Ａ    ペン回し用筆記具
【図１】
0003144419.tif 000003
【図２】
0003144419.tif 000004
【図３】
0003144419.tif 000005
【図４】
0003144419.tif 000006
【図５】
0003144419.tif 000007